【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】画像入出力装置、画像入出力方法、ネットワーク網およびコンピュータ読取可能な記憶媒体
【手続補正２】
【補正対象書類名】明細書
【補正対象項目名】特許請求の範囲
【補正方法】変更
【補正の内容】
【特許請求の範囲】
【請求項１】
画像データの入力または出力を行う画像入出力装置において、
ユーザにより命令された画像処理の実行の可否を判断するための前記ユーザの身体的特徴を予め登録した登録手段と、
画像データを入力する画像入力手段と、
前記画像入力手段に入力された画像データに対する所定の画像処理を命令する操作手段と、
前記操作手段を操作するユーザの身体的特徴を入力する身体的特徴入力手段と、
前記身体的特徴入力手段に入力された身体的特徴を記憶する身体的特徴記憶手段と、
前記身体的特徴記憶手段に記憶された身体的特徴と、前記登録手段に登録された身体的特徴とを照合する照合手段と、
前記照合手段による照合の結果に応じて、前記操作手段により命令された所定の画像処理を行う処理手段と、
前記処理手段により前記画像処理が行われた画像データを出力する画像出力手段とを備えたことを特徴とする画像入出力装置。
【請求項２】
画像データの入力または出力を行う画像入出力装置において、
画像データの特徴を記憶した記憶手段と、
前記画像データを入力する画像入力手段と、
前記画像入力手段に入力された画像データから所定の領域を抽出する領域抽出手段と、
前記領域抽出手段により抽出された領域から所定の特徴を抽出する特徴抽出手段と、
前記特徴抽出手段により抽出された特徴と、前記記憶手段に記憶された特徴とを照合する照合手段と、
前記照合手段による照合の結果に応じて所定の画像処理を実行する実行手段とを備えたことを特徴とする画像入出力装置。
【請求項３】
デジタル画像データを処理する画像入出力装置であって、画像データの特徴を記憶した記憶手段と、
画像データを入力する少なくとも２つの画像入力手段と、
前記少なくとも２つの画像入力手段のうちから少なくとも１つの画像入力手段を選択する選択手段と、
前記選択手段により選択された画像入力手段に入力された画像データから所定の領域を抽出する領域抽出手段と、
前記領域抽出手段により抽出された領域から所定の特徴を抽出する特徴抽出手段と、
前記特徴抽出手段から抽出した特徴を、前記記憶手段に記憶された所定の特徴の中から検索し照合する照合手段と、
前記照合手段による照合の結果に応じて所定の画像処理を実行する実行手段とを備えたことを特徴とする画像入出力装置。
【請求項４】
請求項１及び３の何れかに記載の画像入出力装置において、前記画像入力手段は、原稿を光学的にスキャンして画像データを得るイメージスキャナ、及び、ページ記述言語で記述された画像データを得る画像コントローラ、及び、イメージサーバーの少なくとも何れかであることを特徴とする画像入出力装置。
【請求項５】
請求項１乃至４の何れかに記載の画像入出力装置において、前記所定の画像処理は、色処理、解像度変換またはＭＴＦ補正であることを特徴とする画像入出力装置。
【請求項６】
請求項１乃至５の何れかに記載の画像入出力装置において、前記所定の画像処理が行われた画像データをネットワークを介して送信することを特徴とする画像入出力装置。
【請求項７】
請求項１に記載の画像入出力装置において、前記登録手段、前記身体的特徴入力手段、身体的特徴記憶手段および前記照合手段は、前記画像入力手段、前記操作手段、前記処理手段および前記画像出力手段を動作させる第１の電源と異なる第２の電源により動作することを特徴とする画像入出力装置。
【請求項８】
請求項７に記載の画像入出力装置において、前記身体的特徴記憶手段は前記第１の電源の内部に設けられており、該第１の電源を操作するユーザの身体的特徴を読取ることを特徴とする画像入出力装置。
【請求項９】
請求項７又は８に記載の画像入出力装置において、前記処理手段は、前記照合手段により照合が認められた場合に、前記第１の電源をＯＮにすることを特徴とする画像入出力装置。
【請求項１０】
請求項１に記載の画像入出力装置において、前記登録手段及び前記身体的特徴記憶手段及び前記照合手段の少なくとも何れかは、ネットワークを介して接続されたホストコンピュータ及びイメージサーバーの少なくとも何れかを含む外部装置に具備されることを特徴とする画像入出力装置。
【請求項１１】
請求項１乃至１０の何れかに記載の画像入出力装置において、前記照合手段により照合が認められた場合に、前記画像入力手段に入力された画像データを２色以上の色材を用いて画像出力させることを特徴とする画像入出力装置。
【請求項１２】
請求項１乃至１１の何れかに記載の画像入出力装置において、前記照合手段により照合が認められた場合に、前記画像入出力装置の操作手段により命令された所定の画像処理を行うことを特徴とする画像入出力装置。
【請求項１３】
請求項１乃至１２の何れかに記載の画像入出力装置において、前記照合手段により照合が認められなかった場合に、前記画像入力手段に入力された画像データを１色の色材を用いて画像出力させることを特徴とする画像入出力装置。
【請求項１４】
請求項１乃至１３の何れかに記載の画像入出力装置において、前記照合手段により照合が認められなかった場合に、実行可能な画像処理の機能を制限することを特徴とする画像入出力装置。
【請求項１５】
請求項１に記載の画像入出力装置において、前記照合手段は、前回の照合処理において前記身体的特徴記憶手段に記憶された身体的特徴を用いて照合を行うことを特徴とする画像入出力装置。
【請求項１６】
請求項１又は１５に記載の画像入出力装置において、前記身体的特徴入力手段は、前記照合手段により照合が認められた場合に新たな身体的特徴の入力を受け付け、前記登録手段は、前記身体的特徴入力手段に入力された前記新たな身体的特徴を登録することを特徴とする画像入出力装置。
【請求項１７】
請求項１及び１５及び１６の何れかに記載の画像入出力装置において、前記登録手段は、前記身体的特徴を登録した日時を更に登録することを特徴とする画像入出力装置。
【請求項１８】
請求項２又は３記載の画像入出力装置において、前記領域抽出手段は、注目画素近傍での前記画像データの変化量、該変化量の一定区間内の積算値、注目画素近傍の周辺画素の輝度値または一定区間内の前記画像データの白から黒への変化の回数に基づいて所定の領域を抽出することを特徴とする画像入出力装置。
【請求項１９】
請求項２及び３及び１８の何れか記載の画像入出力装置において、前記領域抽出手段はネットワークに接続されており、前記特徴抽出手段は前記領域抽出手段により抽出された所定の領域を前記ネットワークを介して取得することを特徴とする画像入出力装置。
【請求項２０】
請求項２及び３及び１８及び１９の何れかに記載の画像入出力装置において、前記所定の領域は、身体的特徴のある領域であることを特徴とする画像入出力装置。
【請求項２１】
請求項２０記載の画像入出力装置において、前記所定の特徴は、身体的特徴を示すものであることを特徴とする画像入出力装置。
【請求項２２】
請求項１又は２１記載の画像入出力装置において、前記身体的特徴は、眼底の毛細血管、及び、黒目の中の模様、及び、顔の形、及び、音声の特徴、及び、手の大きさ、及び、手の形状、及び、文字の書き方、及び、文字の筆圧、のうちの、少なくとも何れかを含むことを特徴とする画像入出力装置。
【請求項２３】
請求項２又は３記載の画像入出力装置において、前記特徴抽出手段はネットワークに接続されており、前記照合手段は、前記特徴抽出手段により抽出された特徴を前記ネットワークを介して取得することを特徴とする画像入出力装置。
【請求項２４】
請求項２及び３及び２３の何れかに記載の画像入出力装置において、前記記憶手段は、前記画像入出力装置、及び、ネットワークに接続された外部記憶装置の少なくとも何れかに具備されることを特徴とする画像入出力装置。
【請求項２５】
請求項２又は３記載の画像入出力装置において、前記照合手段はネットワークに接続されており、前記実行手段は前記照合手段による照合の結果を前記ネットワークを介して取得することを特徴とする画像入出力装置。
【請求項２６】
請求項２及び３及び２５記載の画像入出力装置において、前記画像入力手段に入力された画像データに基づきユーザの認証を行う認証手段を更に備え、該認証が認められ場合に、前記入力された画像データを前記記憶手段に記憶することを特徴とする画像入出力装置。
【請求項２７】
請求項２、３、２５、２６の何れかに記載の画像入出力装置において、前記領域抽出手段は、少なくとも２つの前記領域を一括して抽出し、前記記憶手段は一括して抽出された前記領域の各々を個別に記憶することを特徴とする画像入出力装置。
【請求項２８】
請求項２及び３及び２５乃至２７の何れかに記載の画像入出力装置において、前記特徴抽出手段は、少なくとも２つの前記特徴を一括して抽出し、前記記憶手段は一括して抽出された前記特徴の各々を個別に記憶することを特徴とする画像入出力装置。
【請求項２９】
請求項２及び３及び２５乃至２８の何れかに記載の画像入出力装置において、前記領域抽出手段は、少なくとも２つの前記領域を一括して抽出し、前記記憶手段は一括して抽出された前記領域を１つのグループとして記憶することを特徴とする画像入出力装置。
【請求項３０】
請求項２及び３及び２５乃至２９の何れかに記載の画像入出力装置において、前記特徴抽出手段は、少なくとも２つの前記特徴を一括して抽出し、前記記憶手段は、一括して抽出された前記特徴を１つのグループとして記憶することを特徴とする画像入出力装置。
【請求項３１】
請求項２及び３及び２５乃至３０の何れかに記載の画像入出力装置において、前記記憶手段は、前記グループを示すグループコード、および関連付けられた特徴の個数を示す個数コードを記憶することを特徴とする画像入出力装置。
【請求項３２】
請求項２及び３及び２５乃至３１の何れかに記載の画像入出力装置において、前記照合手段は、前記グループコードに対応する少なくとも２つの特徴を用いて照合を行うことを特徴とする画像入出力装置。
【請求項３３】
請求項２及び３及び２５乃至３２の何れかに記載の画像入出力装置において、前記照合手段は、前記グループコードに対応する特徴の個数に対する所定の割合数の特徴を用いて照合を行い、前記所定の割合数は変更可能であることを特徴とする画像入出力装置。
【請求項３４】
請求項２及び３及び２５乃至３３の何れかに記載の画像入出力装置において、前記実行手段は、前記照合手段による照合の結果、前記グループコードに対応する特徴のうちの少なくとも１つの特徴の照合が一致した場合、前記所定の画像処理を実行することを特徴とする画像入出力装置。
【請求項３５】
請求項３記載の画像入出力装置において、前記記憶手段は、記憶された前記特徴の入力元である前記画像入力手段を示す情報を記憶することを特徴とする画像入出力装置。
【請求項３６】
請求項３及び３５の何れかに記載の画像入出力装置において、前記実行手段は、記憶された前記特徴の入力元に応じて異なる画像処理を実行することを特徴とする画像入出力装置。
【請求項３７】
請求項６、１０、１９、２４の何れかに記載の画像入出力装置において、前記ネットワークは、ＬＡＮ、インターネット、電話回線および無線のいずれかであることを特徴とする画像入出力装置。
【請求項３８】
請求項１乃至３７のいずれか記載の画像入出力装置を有するネットワーク網。
【請求項３９】
画像データの入力または出力を行う画像入出力装置を有するシステムの画像入出力方法であって、
画像データを入力する画像入力手段からの画像データに対する所定の画像処理を命令可能な操作手段を操作するユーザの身体的特徴に関する情報を入力する身体的特徴入力ステップと、
身体的特徴入力ステップにて入力された情報と、ユーザにより命令された画像処理の実行の可否を判断するための情報を予め登録した登録手段の情報と、を照合する照合ステップと、
前記照合ステップの照合結果に応じて、前記操作手段により命令された所定の画像処理を行う処理ステップと、
前記処理ステップにより前記画像処理が行われた画像データを出力する画像出力ステップとを備えたことを特徴とする画像入出力方法。
【請求項４０】
画像データの入力または出力を行う画像入出力装置を有するシステムの画像入出力方法であって、
画像データを入力する画像入力手段を介して入力された画像データから所定の領域を抽出する領域抽出ステップと、
抽出された領域から所定の特徴を抽出する特徴抽出ステップと、
抽出された特徴と画像データの特徴を記憶した記憶手段に記憶された特徴とを照合する照合ステップと、
前記照合ステップの照合結果に応じて所定の画像処理を実行する実行ステップとを備えたことを特徴とする画像入出力方法。
【請求項４１】
デジタル画像データを処理する画像入出力装置を有するシステムの画像入出力方法であって、
画像データを入力可能な複数の画像入力手段のうちの少なくとも何れかの画像入力手段を選択するステップと、
選択された画像入力手段からの画像データから所定の領域を抽出する領域抽出ステップと、
抽出された領域から所定の特徴を抽出する特徴抽出ステップと、
抽出した特徴を、画像データの特徴を記憶した記憶手段に記憶された所定の特徴の中から検索し照合する照合ステップと、
前記照合ステップの照合結果に応じて所定の画像処理を実行する実行ステップとを備えたことを特徴とする画像入出力方法。
【請求項４２】
請求項３９乃至４１の何れかに記載の画像入出力方法を実行する為のプログラムを記憶したことを特徴とするコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は画像入出力装置、画像入出力方法、ネットワーク網およびコンピュータ読取可能な記憶媒体に関し、特に、原稿画像をデジタル画像信号として入力し、画像処理を行って出力する画像入出力装置、画像入出力方法、ネットワーク網およびコンピュータ読取可能な記憶媒体に関する。
【手続補正４】
【補正対象書類名】明細書
【補正対象項目名】０００７
【補正方法】変更
【補正の内容】
【０００７】
本発明は、上記の問題に鑑みてなされたものであり、その目的とするところは、特定の画像処理の命令を実行できるユーザを限定することが可能な画像入出力装置、画像入出力方法、ネットワーク網およびコンピュータ読取可能な記憶媒体を提供することにある。
【手続補正５】
【補正対象書類名】明細書
【補正対象項目名】０００９
【補正方法】変更
【補正の内容】
【０００９】
【課題を解決するための手段】
このような目的を達成するために、請求項１に記載の発明は、画像データの入力または出力を行う画像入出力装置において、ユーザにより命令された画像処理の実行の可否を判断するための前記ユーザの身体的特徴を予め登録した登録手段と、画像データを入力する画像入力手段と、前記画像入力手段に入力された画像データに対する所定の画像処理を命令する操作手段と、前記操作手段を操作するユーザの身体的特徴を入力する身体的特徴入力手段と、前記身体的特徴入力手段に入力された身体的特徴を記憶する身体的特徴記憶手段と、前記身体的特徴記憶手段に記憶された身体的特徴と、前記登録手段に登録された身体的特徴とを照合する照合手段と、前記照合手段による照合の結果に応じて、前記操作手段により命令された所定の画像処理を行う処理手段と、前記処理手段により前記画像処理が行われた画像データを出力する画像出力手段とを備えたことを特徴とする。
【手続補正６】
【補正対象書類名】明細書
【補正対象項目名】００１０
【補正方法】変更
【補正の内容】
【００１０】
また、請求項２に記載の発明は、画像データの入力または出力を行う画像入出力装置において、画像データの特徴を記憶した記憶手段と、前記画像データを入力する画像入力手段と、前記画像入力手段に入力された画像データから所定の領域を抽出する領域抽出手段と、前記領域抽出手段により抽出された領域から所定の特徴を抽出する特徴抽出手段と、前記特徴抽出手段により抽出された特徴と、前記記憶手段に記憶された特徴とを照合する照合手段と、前記照合手段による照合の結果に応じて所定の画像処理を実行する実行手段とを備えたことを特徴とする。
【手続補正７】
【補正対象書類名】明細書
【補正対象項目名】００１１
【補正方法】変更
【補正の内容】
【００１１】
また、請求項３に記載の発明は、デジタル画像データを処理する画像入出力装置であって、画像データの特徴を記憶した記憶手段と、画像データを入力する少なくとも２つの画像入力手段と、前記少なくとも２つの画像入力手段のうちから少なくとも１つの画像入力手段を選択する選択手段と、前記選択手段により選択された画像入力手段に入力された画像データから所定の領域を抽出する領域抽出手段と、前記領域抽出手段により抽出された領域から所定の特徴を抽出する特徴抽出手段と、前記特徴抽出手段から抽出した特徴を、前記記憶手段に記憶された所定の特徴の中から検索し照合する照合手段と、前記照合手段による照合の結果に応じて所定の画像処理を実行する実行手段とを備えたことを特徴とする。
【手続補正８】
【補正対象書類名】明細書
【補正対象項目名】００１２
【補正方法】変更
【補正の内容】
【００１２】
また、請求項４に記載の発明は、請求項１及び３の何れかに記載の画像入出力装置において、前記画像入力手段は、原稿を光学的にスキャンして画像データを得るイメージスキャナ、及び、ページ記述言語で記述された画像データを得る画像コントローラ、及び、イメージサーバーの少なくとも何れかであることを特徴とする。
【手続補正９】
【補正対象書類名】明細書
【補正対象項目名】００１３
【補正方法】変更
【補正の内容】
【００１３】
また、請求項５に記載の発明は、請求項１乃至４の何れかに記載の画像入出力装置において、前記所定の画像処理は、色処理、解像度変換またはＭＴＦ補正であることを特徴とする。
【手続補正１０】
【補正対象書類名】明細書
【補正対象項目名】００１４
【補正方法】変更
【補正の内容】
【００１４】
また、請求項６に記載の発明は、請求項１乃至５の何れかに記載の画像入出力装置において、前記所定の画像処理が行われた画像データをネットワークを介して送信することを特徴とする。
【手続補正１１】
【補正対象書類名】明細書
【補正対象項目名】００１５
【補正方法】変更
【補正の内容】
【００１５】
また、請求項７に記載の発明は、請求項１に記載の画像入出力装置において、前記登録手段、前記身体的特徴入力手段、身体的特徴記憶手段および前記照合手段は、前記画像入力手段、前記操作手段、前記処理手段および前記画像出力手段を動作させる第１の電源と異なる第２の電源により動作することを特徴とする。
【手続補正１２】
【補正対象書類名】明細書
【補正対象項目名】００１６
【補正方法】変更
【補正の内容】
【００１６】
また、請求項８に記載の発明は、請求項７に記載の画像入出力装置において、前記身体的特徴記憶手段は前記第１の電源の内部に設けられており、該第１の電源を操作するユーザの身体的特徴を読取ることを特徴とする。
【手続補正１３】
【補正対象書類名】明細書
【補正対象項目名】００１７
【補正方法】変更
【補正の内容】
【００１７】
また、請求項９に記載の発明は、請求項７又は８に記載の画像入出力装置において、前記処理手段は、前記照合手段により照合が認められた場合に、前記第１の電源をＯＮにすることを特徴とする。
【手続補正１４】
【補正対象書類名】明細書
【補正対象項目名】００１８
【補正方法】変更
【補正の内容】
【００１８】
また、請求項１０に記載の発明は、請求項１に記載の画像入出力装置において、前記登録手段及び前記身体的特徴記憶手段及び前記照合手段の少なくとも何れかは、ネットワークを介して接続されたホストコンピュータ及びイメージサーバーの少なくとも何れかを含む外部装置に具備されることを特徴とする。
【手続補正１５】
【補正対象書類名】明細書
【補正対象項目名】００１９
【補正方法】変更
【補正の内容】
【００１９】
また、請求項１１に記載の発明は、請求項１乃至１０の何れかに記載の画像入出力装置において、前記照合手段により照合が認められた場合に、前記画像入力手段に入力された画像データを２色以上の色材を用いて画像出力させることを特徴とする。
【手続補正１６】
【補正対象書類名】明細書
【補正対象項目名】００２０
【補正方法】変更
【補正の内容】
【００２０】
また、請求項１２に記載の発明は、請求項１乃至１１の何れかに記載の画像入出力装置において、前記照合手段により照合が認められた場合に、前記画像入出力装置の操作手段により命令された所定の画像処理を行うことを特徴とする。
【手続補正１７】
【補正対象書類名】明細書
【補正対象項目名】００２１
【補正方法】変更
【補正の内容】
【００２１】
また、請求項１３に記載の発明は、請求項１乃至１２の何れかに記載の画像入出力装置において、前記照合手段により照合が認められなかった場合に、前記画像入力手段に入力された画像データを１色の色材を用いて画像出力させることを特徴とする。
【手続補正１８】
【補正対象書類名】明細書
【補正対象項目名】００２２
【補正方法】変更
【補正の内容】
【００２２】
また、請求項１４に記載の発明は、請求項１乃至１３の何れかに記載の画像入出力装置において、前記照合手段により照合が認められなかった場合に、実行可能な画像処理の機能を制限することを特徴とする。
【手続補正１９】
【補正対象書類名】明細書
【補正対象項目名】００２３
【補正方法】変更
【補正の内容】
【００２３】
また、請求項１５に記載の発明は、請求項１に記載の画像入出力装置において、前記照合手段は、前回の照合処理において前記身体的特徴記憶手段に記憶された身体的特徴を用いて照合を行うことを特徴とする。
【手続補正２０】
【補正対象書類名】明細書
【補正対象項目名】００２４
【補正方法】変更
【補正の内容】
【００２４】
また、請求項１６に記載の発明は、請求項１又は１５に記載の画像入出力装置において、前記身体的特徴入力手段は、前記照合手段により照合が認められた場合に新たな身体的特徴の入力を受け付け、前記登録手段は、前記身体的特徴入力手段に入力された前記新たな身体的特徴を登録することを特徴とする。
【手続補正２１】
【補正対象書類名】明細書
【補正対象項目名】００２５
【補正方法】変更
【補正の内容】
【００２５】
また、請求項１７に記載の発明は、請求項１及び１５及び１６の何れかに記載の画像入出力装置において、前記登録手段は、前記身体的特徴を登録した日時を更に登録することを特徴とする。
【手続補正２２】
【補正対象書類名】明細書
【補正対象項目名】００２６
【補正方法】変更
【補正の内容】
【００２６】
また、請求項１８に記載の発明は、請求項２又は３記載の画像入出力装置において、前記領域抽出手段は、注目画素近傍での前記画像データの変化量、該変化量の一定区間内の積算値、注目画素近傍の周辺画素の輝度値または一定区間内の前記画像データの白から黒への変化の回数に基づいて所定の領域を抽出することを特徴とする。
【手続補正２３】
【補正対象書類名】明細書
【補正対象項目名】００２７
【補正方法】変更
【補正の内容】
【００２７】
また、請求項１９に記載の発明は、請求項２及び３及び１８の何れか記載の画像入出力装置において、前記領域抽出手段はネットワークに接続されており、前記特徴抽出手段は前記領域抽出手段により抽出された所定の領域を前記ネットワークを介して取得することを特徴とする。
【手続補正２４】
【補正対象書類名】明細書
【補正対象項目名】００２８
【補正方法】変更
【補正の内容】
【００２８】
また、請求項２０に記載の発明は、請求項２及び３及び１８及び１９の何れかに記載の画像入出力装置において、前記所定の領域は、身体的特徴のある領域であることを特徴とする。
【手続補正２５】
【補正対象書類名】明細書
【補正対象項目名】００２９
【補正方法】変更
【補正の内容】
【００２９】
また、請求項２１に記載の発明は、請求項２０記載の画像入出力装置において、前記所定の特徴は、身体的特徴を示すものであることを特徴とする。
【手続補正２６】
【補正対象書類名】明細書
【補正対象項目名】００３０
【補正方法】変更
【補正の内容】
【００３０】
また、請求項２２に記載の発明は、請求項１又は２１記載の画像入出力装置において、前記身体的特徴は、眼底の毛細血管、及び、黒目の中の模様、及び、顔の形、及び、音声の特徴、及び、手の大きさ、及び、手の形状、及び、文字の書き方、及び、文字の筆圧、のうちの、少なくとも何れかを含むことを特徴とする。
【手続補正２７】
【補正対象書類名】明細書
【補正対象項目名】００３１
【補正方法】変更
【補正の内容】
【００３１】
また、請求項２３に記載の発明は、請求項２又は３記載の画像入出力装置において、前記特徴抽出手段はネットワークに接続されており、前記照合手段は、前記特徴抽出手段により抽出された特徴を前記ネットワークを介して取得することを特徴とする。
【手続補正２８】
【補正対象書類名】明細書
【補正対象項目名】００３２
【補正方法】変更
【補正の内容】
【００３２】
また、請求項２４に記載の発明は、請求項２及び３及び２３の何れかに記載の画像入出力装置において、前記記憶手段は、前記画像入出力装置、及び、ネットワークに接続された外部記憶装置の少なくとも何れかに具備されることを特徴とする。
【手続補正２９】
【補正対象書類名】明細書
【補正対象項目名】００３３
【補正方法】変更
【補正の内容】
【００３３】
また、請求項２５に記載の発明は、請求項２又は３記載の画像入出力装置において、前記照合手段はネットワークに接続されており、前記実行手段は前記照合手段による照合の結果を前記ネットワークを介して取得することを特徴とする。
【手続補正３０】
【補正対象書類名】明細書
【補正対象項目名】００３４
【補正方法】変更
【補正の内容】
【００３４】
また、請求項２６に記載の発明は、請求項２及び３及び２５記載の画像入出力装置において、前記画像入力手段に入力された画像データに基づきユーザの認証を行う認証手段を更に備え、該認証が認められ場合に、前記入力された画像データを前記記憶手段に記憶することを特徴とする。
【手続補正３１】
【補正対象書類名】明細書
【補正対象項目名】００３５
【補正方法】変更
【補正の内容】
【００３５】
また、請求項２７に記載の発明は、請求項２、３、２５、２６の何れかに記載の画像入出力装置において、前記領域抽出手段は、少なくとも２つの前記領域を一括して抽出し、前記記憶手段は一括して抽出された前記領域の各々を個別に記憶することを特徴とする。
【手続補正３２】
【補正対象書類名】明細書
【補正対象項目名】００３６
【補正方法】変更
【補正の内容】
【００３６】
また、請求項２８に記載の発明は、請求項２及び３及び２５乃至２７の何れかに記載の画像入出力装置において、前記特徴抽出手段は、少なくとも２つの前記特徴を一括して抽出し、前記記憶手段は一括して抽出された前記特徴の各々を個別に記憶することを特徴とする。
【手続補正３３】
【補正対象書類名】明細書
【補正対象項目名】００３７
【補正方法】変更
【補正の内容】
【００３７】
また、請求項２９に記載の発明は、請求項２及び３及び２５乃至２８の何れかに記載の画像入出力装置において、前記領域抽出手段は、少なくとも２つの前記領域を一括して抽出し、前記記憶手段は一括して抽出された前記領域を１つのグループとして記憶することを特徴とする。
【手続補正３４】
【補正対象書類名】明細書
【補正対象項目名】００３８
【補正方法】変更
【補正の内容】
【００３８】
また、請求項３０に記載の発明は、請求項２及び３及び２５乃至２９の何れかに記載の画像入出力装置において、前記特徴抽出手段は、少なくとも２つの前記特徴を一括して抽出し、前記記憶手段は、一括して抽出された前記特徴を１つのグループとして記憶することを特徴とする。
【手続補正３５】
【補正対象書類名】明細書
【補正対象項目名】００３９
【補正方法】変更
【補正の内容】
【００３９】
また、請求項３１に記載の発明は、請求項２及び３及び２５乃至３０の何れかに記載の画像入出力装置において、前記記憶手段は、前記グループを示すグループコード、および関連付けられた特徴の個数を示す個数コードを記憶することを特徴とする。
【手続補正３６】
【補正対象書類名】明細書
【補正対象項目名】００４０
【補正方法】変更
【補正の内容】
【００４０】
また、請求項３２に記載の発明は、請求項２及び３及び２５乃至３１の何れかに記載の画像入出力装置において、前記照合手段は、前記グループコードに対応する少なくとも２つの特徴を用いて照合を行うことを特徴とする。
【手続補正３７】
【補正対象書類名】明細書
【補正対象項目名】００４１
【補正方法】変更
【補正の内容】
【００４１】
また、請求項３３に記載の発明は、請求項２及び３及び２５乃至３２の何れかに記載の画像入出力装置において、前記照合手段は、前記グループコードに対応する特徴の個数に対する所定の割合数の特徴を用いて照合を行い、前記所定の割合数は変更可能であることを特徴とする。
【手続補正３８】
【補正対象書類名】明細書
【補正対象項目名】００４２
【補正方法】変更
【補正の内容】
【００４２】
また、請求項３４に記載の発明は、請求項２及び３及び２５乃至３３の何れかに記載の画像入出力装置において、前記実行手段は、前記照合手段による照合の結果、前記グループコードに対応する特徴のうちの少なくとも１つの特徴の照合が一致した場合、前記所定の画像処理を実行することを特徴とする。
【手続補正３９】
【補正対象書類名】明細書
【補正対象項目名】００４３
【補正方法】変更
【補正の内容】
【００４３】
また、請求項３５に記載の発明は、請求項３記載の画像入出力装置において、前記記憶手段は、記憶された前記特徴の入力元である前記画像入力手段を示す情報を記憶することを特徴とする。
【手続補正４０】
【補正対象書類名】明細書
【補正対象項目名】００４４
【補正方法】変更
【補正の内容】
【００４４】
また、請求項３６に記載の発明は、請求項３及び３５の何れかに記載の画像入出力装置において、前記実行手段は、記憶された前記特徴の入力元に応じて異なる画像処理を実行することを特徴とする。
【手続補正４１】
【補正対象書類名】明細書
【補正対象項目名】００４５
【補正方法】変更
【補正の内容】
【００４５】
また、請求項３７に記載の発明は、請求項６、１０、１９、２４の何れかに記載の画像入出力装置において、前記ネットワークは、ＬＡＮ、インターネット、電話回線および無線のいずれかであることを特徴とする。
【手続補正４２】
【補正対象書類名】明細書
【補正対象項目名】００４６
【補正方法】変更
【補正の内容】
【００４６】
また、請求項３８に記載の発明は、ネットワーク網であって、請求項１乃至３７のいずれか記載の画像入出力装置を有する。
【手続補正４３】
【補正対象書類名】明細書
【補正対象項目名】００４７
【補正方法】変更
【補正の内容】
【００４７】
また、請求項３９に記載の発明は、画像データの入力または出力を行う画像入出力装置を有するシステムの画像入出力方法であって、画像データを入力する画像入力手段からの画像データに対する所定の画像処理を命令可能な操作手段を操作するユーザの身体的特徴に関する情報を入力する身体的特徴入力ステップと、身体的特徴入力ステップにて入力された情報と、ユーザにより命令された画像処理の実行の可否を判断するための情報を予め登録した登録手段の情報と、を照合する照合ステップと、前記照合ステップの照合結果に応じて、前記操作手段により命令された所定の画像処理を行う処理ステップと、前記処理ステップにより前記画像処理が行われた画像データを出力する画像出力ステップとを備えたことを特徴とする。
【手続補正４４】
【補正対象書類名】明細書
【補正対象項目名】００４８
【補正方法】変更
【補正の内容】
【００４８】
また、請求項４０に記載の発明は、画像データの入力または出力を行う画像入出力装置を有するシステムの画像入出力方法であって、画像データを入力する画像入力手段を介して入力された画像データから所定の領域を抽出する領域抽出ステップと、抽出された領域から所定の特徴を抽出する特徴抽出ステップと、抽出された特徴と画像データの特徴を記憶した記憶手段に記憶された特徴とを照合する照合ステップと、前記照合ステップの照合結果に応じて所定の画像処理を実行する実行ステップとを備えたことを特徴とする。
【手続補正４５】
【補正対象書類名】明細書
【補正対象項目名】００４９
【補正方法】変更
【補正の内容】
【００４９】
また、請求項４１に記載の発明は、デジタル画像データを処理する画像入出力装置を有するシステムの画像入出力方法であって、画像データを入力可能な複数の画像入力手段のうちの少なくとも何れかの画像入力手段を選択するステップと、選択された画像入力手段からの画像データから所定の領域を抽出する領域抽出ステップと、抽出された領域から所定の特徴を抽出する特徴抽出ステップと、抽出した特徴を、画像データの特徴を記憶した記憶手段に記憶された所定の特徴の中から検索し照合する照合ステップと、前記照合ステップの照合結果に応じて所定の画像処理を実行する実行ステップとを備えたことを特徴とする。
【手続補正４６】
【補正対象書類名】明細書
【補正対象項目名】００５０
【補正方法】変更
【補正の内容】
【００５０】
また、請求項４２に記載の発明は、請求項３９乃至４１の何れかに記載の画像入出力方法を実行する為のプログラムを記憶したことを特徴とする。
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】
【手続補正７２】
【補正対象書類名】明細書
【補正対象項目名】００７６
【補正方法】削除
【補正の内容】
【手続補正７３】
【補正対象書類名】明細書
【補正対象項目名】００７７
【補正方法】削除
【補正の内容】
【手続補正７４】
【補正対象書類名】明細書
【補正対象項目名】００７８
【補正方法】削除
【補正の内容】
【手続補正７５】
【補正対象書類名】明細書
【補正対象項目名】００７９
【補正方法】削除
【補正の内容】
【手続補正７６】
【補正対象書類名】明細書
【補正対象項目名】００８０
【補正方法】削除
【補正の内容】
【手続補正７７】
【補正対象書類名】明細書
【補正対象項目名】００８１
【補正方法】削除
【補正の内容】
【手続補正７８】
【補正対象書類名】明細書
【補正対象項目名】００８２
【補正方法】削除
【補正の内容】
【手続補正７９】
【補正対象書類名】明細書
【補正対象項目名】００８３
【補正方法】削除
【補正の内容】
【手続補正８０】
【補正対象書類名】明細書
【補正対象項目名】００８４
【補正方法】削除
【補正の内容】
【手続補正８１】
【補正対象書類名】明細書
【補正対象項目名】００８５
【補正方法】削除
【補正の内容】
【手続補正８２】
【補正対象書類名】明細書
【補正対象項目名】００８６
【補正方法】削除
【補正の内容】
【手続補正８３】
【補正対象書類名】明細書
【補正対象項目名】００８７
【補正方法】削除
【補正の内容】
【手続補正８４】
【補正対象書類名】明細書
【補正対象項目名】００８８
【補正方法】削除
【補正の内容】
【手続補正８５】
【補正対象書類名】明細書
【補正対象項目名】００８９
【補正方法】削除
【補正の内容】
【手続補正８６】
【補正対象書類名】明細書
【補正対象項目名】００９０
【補正方法】削除
【補正の内容】
【手続補正８７】
【補正対象書類名】明細書
【補正対象項目名】００９１
【補正方法】削除
【補正の内容】
【手続補正８８】
【補正対象書類名】明細書
【補正対象項目名】００９２
【補正方法】削除
【補正の内容】
【手続補正８９】
【補正対象書類名】明細書
【補正対象項目名】００９３
【補正方法】削除
【補正の内容】
【手続補正９０】
【補正対象書類名】明細書
【補正対象項目名】００９４
【補正方法】削除
【補正の内容】
【手続補正９１】
【補正対象書類名】明細書
【補正対象項目名】００９５
【補正方法】削除
【補正の内容】
【手続補正９２】
【補正対象書類名】明細書
【補正対象項目名】００９６
【補正方法】削除
【補正の内容】
【手続補正９３】
【補正対象書類名】明細書
【補正対象項目名】００９７
【補正方法】削除
【補正の内容】
【手続補正９４】
【補正対象書類名】明細書
【補正対象項目名】００９８
【補正方法】削除
【補正の内容】
【手続補正９５】
【補正対象書類名】明細書
【補正対象項目名】００９９
【補正方法】削除
【補正の内容】
【手続補正９６】
【補正対象書類名】明細書
【補正対象項目名】０１００
【補正方法】削除
【補正の内容】
【手続補正９７】
【補正対象書類名】明細書
【補正対象項目名】０１０１
【補正方法】削除
【補正の内容】
【手続補正９８】
【補正対象書類名】明細書
【補正対象項目名】０１０２
【補正方法】削除
【補正の内容】
【手続補正９９】
【補正対象書類名】明細書
【補正対象項目名】０１０３
【補正方法】削除
【補正の内容】
【手続補正１００】
【補正対象書類名】明細書
【補正対象項目名】０１０４
【補正方法】削除
【補正の内容】
【手続補正１０１】
【補正対象書類名】明細書
【補正対象項目名】０１０５
【補正方法】削除
【補正の内容】
【手続補正１０２】
【補正対象書類名】明細書
【補正対象項目名】０１０６
【補正方法】削除
【補正の内容】
【手続補正１０３】
【補正対象書類名】明細書
【補正対象項目名】０１０７
【補正方法】削除
【補正の内容】
【手続補正１０４】
【補正対象書類名】明細書
【補正対象項目名】０１０８
【補正方法】削除
【補正の内容】
【手続補正１０５】
【補正対象書類名】明細書
【補正対象項目名】０１０９
【補正方法】削除
【補正の内容】
【手続補正１０６】
【補正対象書類名】明細書
【補正対象項目名】０１１０
【補正方法】削除
【補正の内容】
【手続補正１０７】
【補正対象書類名】明細書
【補正対象項目名】０１１１
【補正方法】削除
【補正の内容】
【手続補正１０８】
【補正対象書類名】明細書
【補正対象項目名】０１１２
【補正方法】削除
【補正の内容】
【手続補正１０９】
【補正対象書類名】明細書
【補正対象項目名】０１１３
【補正方法】削除
【補正の内容】